Podtech/llm-jp-corpus-v4-ja_patent huggingface dataset:
【手続補正書】
【提出日】令和2年3月26日(2020.3.26)
【手続補正１】
【補正対象書類名】特許請求の範囲
【補正対象項目名】全文
【補正方法】変更
【補正の内容】
【特許請求の範囲】
【請求項１】
ユーザのメディアネットワーク内のデバイスにコンテンツアイテムを自動的に割り当てるための方法であって、前記方法は、
第１のユーザ入力を受信することであって、前記第１のユーザ入力は、複数のコンテンツアイテムのうちの対応する１つの送達タイプに基づいて、前記複数のコンテンツアイテムのそれぞれ１つが複数のデバイスのうちのどの１つに送達されるべきかを設定するためのものであり、前記送達タイプは、ストリーム送達タイプ、ダウンロード送達タイプ、転送送達タイプ、録画送達タイプのうちの１つである、ことと、
前記受信された第１のユーザ入力に基づいて、規則を生成することと、
前記複数のコンテンツアイテムのうちの第１のコンテンツアイテムを識別する第２のユーザ入力を受信することと、
前記ストリーム送達タイプ、前記ダウンロード送達タイプ、前記転送送達タイプ、前記録画送達タイプの中から、前記第１のコンテンツアイテムに関連付けられた送達タイプを決定することと、
前記第１のコンテンツアイテムに関連付けられた前記決定された送達タイプに前記規則を適用することにより、前記複数のデバイスのうち、前記第１のコンテンツアイテムを送達するべき第１のデバイスを選択することと、
前記第１のコンテンツアイテムを前記選択された第１のデバイスに送達することと
を含む、方法。
【請求項２】
前記識別された第１のコンテンツアイテムに対し、前記ユーザが送信先デバイスを指定したかどうかを決定することと、
送信先デバイスが指定された場合、前記識別された第１のコンテンツアイテムに対し、前記指定された送信先デバイスを格納先として割り当てることと
をさらに含む、請求項１に記載の方法。
【請求項３】
前記選択された第１のデバイスが利用不可能であることを決定することと、
前記選択された第１のデバイスが利用不可能であることを決定することに応答して、前記第１のコンテンツアイテムをデフォルトデバイスに送達することと
をさらに含む、請求項１に記載の方法。
【請求項４】
前記第１のコンテンツアイテムを識別する前記第２のユーザ入力を受信することは、前記ユーザのメディアネットワークに関連付けられたデバイスにおいて、前記第２のユーザ入力を受信することを含む、請求項１に記載の方法。
【請求項５】
前記規則は、前記ユーザのメディアネットワーク内のデバイスに格納される、請求項１に記載の方法。
【請求項６】
前記第１のコンテンツアイテムを識別する前記第２のユーザ入力を受信することは、前記選択された第１のデバイスとは異なるデバイスにおいて、前記第２のユーザ入力を受信することを含む、請求項１に記載の方法。
【請求項７】
前記複数のデバイスのうちの少なくとも１つのデバイスは、前記ユーザのメディアネットワークとは異なる第２のメディアネットワークに属する、請求項１に記載の方法。
【請求項８】
前記第１のコンテンツアイテムを識別する前記第２のユーザ入力を受信することは、インターネット通信リンク上で、前記第１のコンテンツアイテムを識別する前記第２のユーザ入力を受信することを含む、請求項１に記載の方法。
【請求項９】
前記受信された第１のユーザ入力に基づいて、前記規則を生成することは、
前記ユーザから認可情報を受信することと、
前記認可情報を検証することと、
前記認可情報を検証したことに応答して、前記第１のユーザ入力に基づいて、前記規則を生成することと
を含む、請求項１に記載の方法。
【請求項１０】
ユーザのメディアネットワーク内のデバイスにコンテンツアイテムを自動的に割り当てるためのシステムであって、前記システムは、
第１のユーザ入力を受信するための手段であって、前記第１のユーザ入力は、複数のコンテンツアイテムのうちの対応する１つの送達タイプに基づいて、前記複数のコンテンツアイテムのそれぞれ１つが複数のデバイスのうちのどの１つに送達されるべきかを設定するためのものであり、前記送達タイプは、ストリーム送達タイプ、ダウンロード送達タイプ、転送送達タイプ、録画送達タイプのうちの１つである、手段と、
前記受信された第１のユーザ入力に基づいて、規則を生成するための手段と、
前記複数のコンテンツアイテムのうちの第１のコンテンツアイテムを識別する第２のユーザ入力を受信するための手段と、
前記ストリーム送達タイプ、前記ダウンロード送達タイプ、前記転送送達タイプ、前記録画送達タイプの中から、前記第１のコンテンツアイテムに関連付けられた送達タイプを決定するための手段と、
前記第１のコンテンツアイテムに関連付けられた前記決定された送達タイプに前記規則を適用することにより、前記複数のデバイスのうち、前記第１のコンテンツアイテムを送達するべき第１のデバイスを選択するための手段と、
前記第１のコンテンツアイテムを前記選択された第１のデバイスに送達するための手段と
を含む、システム。
【請求項１１】
前記識別された第１のコンテンツアイテムに対し、前記ユーザが送信先デバイスを指定したかどうかを決定するための手段と、
送信先デバイスが指定された場合、前記識別された第１のコンテンツアイテムに対し、前記指定された送信先デバイスを格納先として割り当てるための手段と
をさらに含む、請求項１０に記載のシステム。
【請求項１２】
前記選択された第１のデバイスが利用不可能であることを決定するための手段と、
前記選択された第１のデバイスが利用不可能であることを決定することに応答して、前記第１のコンテンツアイテムをデフォルトデバイスに送達するための手段と
をさらに含む、請求項１０に記載のシステム。
【請求項１３】
前記第１のコンテンツアイテムを識別する前記第２のユーザ入力を受信するための手段は、前記ユーザのメディアネットワークに関連付けられたデバイスにおいて、前記第２のユーザ入力を受信するための手段を含む、請求項１０に記載のシステム。
【請求項１４】
前記規則は、前記ユーザのメディアネットワーク内のデバイスに格納される、請求項１０に記載のシステム。
【請求項１５】
前記第１のコンテンツアイテムを識別する前記第２のユーザ入力を受信するための手段は、前記選択された第１のデバイスとは異なるデバイスにおいて、前記第２のユーザ入力を受信するための手段を含む、請求項１０に記載のシステム。
【請求項１６】
前記複数のデバイスのうちの少なくとも１つのデバイスは、前記ユーザのメディアネットワークとは異なる第２のメディアネットワークに属する、請求項１０に記載のシステム。
【請求項１７】
前記第１のコンテンツアイテムを識別する前記第２のユーザ入力を受信するための手段は、インターネット通信リンク上で、前記第１のコンテンツアイテムを識別する前記第２のユーザ入力を受信するための手段を含む、請求項１０に記載のシステム。
【請求項１８】
前記受信された第１のユーザ入力に基づいて、前記規則を生成するための手段は、
前記ユーザから認可情報を受信するための手段と、
前記認可情報を検証するための手段と、
前記認可情報を検証したことに応答して、前記第１のユーザ入力に基づいて、前記規則を生成するための手段と
を含む、請求項１０に記載のシステム。
【手続補正書】
【提出日】令和2年10月22日(2020.10.22)
【手続補正１】
【補正対象書類名】特許請求の範囲
【補正対象項目名】全文
【補正方法】変更
【補正の内容】
【特許請求の範囲】
【請求項１】
電力系統または負荷装置に対してインバータを介して接続された第１蓄電装置と、
前記電力系統または前記負荷装置に対してインバータを介して接続され、前記第１蓄電装置よりも出力の急激な変動に耐えるように構成され、前記第１蓄電装置より高い出力密度を有する第２蓄電装置と、
前記電力系統または前記負荷装置に対する充放電指令に基づいた第１の電力の充電または放電を、前記第１蓄電装置に指示すると共に、前記第１蓄電装置への指示よりも短い周期で、前記充放電指令と前記第１の電力との差分の第２の電力の充電または放電を、前記第２蓄電装置に指示する制御装置と、を備え、
前記制御装置は、前記第１の電力の充電または放電を第１の周期ごとに前記第１蓄電装置に指示すると共に、前記第２の電力の充電または放電を前記第１の周期よりも短い第２の周期ごとに前記第２蓄電装置に指示する
複合型蓄電貯蔵システム。
【請求項２】
前記制御装置は、前記充放電指令と前記第１の電力との差分に基づいて、前記第１の電力で前記第１蓄電装置が充電または放電を行う方向と、前記第２の電力で前記第２蓄電装置が充電または放電を行う方向を、それぞれ個別に設定して、前記第１蓄電装置の充電電力または放電電力と、前記第２蓄電装置の充電電力または放電電力との合計が、前記充放電指令で指示された電力になるようにした
請求項１に記載の複合型蓄電貯蔵システム。
【請求項３】
前記制御装置は、前記充放電指令が充電指令であるとき、前記第１蓄電装置に、充電指令で指示された電力よりも大きな電力である前記第１の電力での充電を指示し、前記第２蓄電装置に、前記充電指令で指示された電力と前記第１の電力との差の前記第２の電力での放電を指示する
請求項２に記載の複合型蓄電貯蔵システム。
【請求項４】
前記制御装置は、前記充放電指令が放電指令であるとき、前記第１蓄電装置に、充電指令で指示された電力よりも大きな電力である前記第１の電力での放電を指示し、前記第２蓄電装置に、前記充電指令で指示された電力と前記第１の電力との差の前記第２の電力での充電を指示する
請求項２に記載の複合型蓄電貯蔵システム。
【請求項５】
前記制御装置は、前記第１の電力で前記第１蓄電装置が充電または放電を行う方向と、前記第２の電力で前記第２蓄電装置が充電または放電を行う方向を、それぞれ個別に設定することで、前記第１蓄電装置の充電率と前記第２蓄電装置の充電率とのいずれか一方または双方を、それぞれの蓄電装置に適した範囲内になるように制御する
請求項１〜４のいずれか１項に記載の複合型蓄電貯蔵システム。
【請求項６】
前記第１蓄電装置または前記第２蓄電装置を制御する既設制御装置を備え、
前記制御装置は、前記充放電指令に基づいて、前記既設制御装置に対して前記第１または第２の電力での充電または放電を指示する
請求項１に記載の複合型蓄電貯蔵システム。
【請求項７】
電力系統または負荷装置に対してインバータを介して接続された第１蓄電装置と、前記電力系統または前記負荷装置に対してインバータを介して接続され、前記第１蓄電装置よりも出力の急激な変動に耐えるように構成され、前記第１蓄電装置より高い出力密度を有する第２蓄電装置とを制御する電力貯蔵方法であって、
前記電力系統または前記負荷装置に対する充放電指令に基づいた第１の電力の充電または放電を、前記第１蓄電装置に指示する第１の制御処理と、
前記第１蓄電装置への指示よりも短い周期で、前記充放電指令と前記第１の電力との差分の第２の電力の充電または放電を、前記第２蓄電装置に指示する第２の制御処理と、を行うものであり、
前記第１の電力の充電または放電を第１の周期ごとに前記第１蓄電装置に指示すると共に、前記第２の電力の充電または放電を前記第１の周期よりも短い第２の周期ごとに前記第２蓄電装置に指示するようにした
電力貯蔵方法。
【手続補正２】
【補正対象書類名】明細書
【補正対象項目名】００１０
【補正方法】変更
【補正の内容】
【００１０】
上記課題を解決するために、例えば特許請求の範囲に記載の構成を採用する。
本願は、上記課題を解決する手段を複数含んでいるが、その一例を挙げるならば、電力系統または負荷装置に対してインバータを介して接続された第１蓄電装置と、電力系統または負荷装置に対してインバータを介して接続され、第１蓄電装置よりも出力の急激な変動に耐えるように構成され、第１蓄電装置より高い出力密度を有する第２蓄電装置と、電力系統または負荷装置に対する充放電指令に基づいた第１の電力の充電または放電を、第１蓄電装置に指示すると共に、第１蓄電装置への指示よりも短い周期で、充放電指令と第１の電力との差分の第２の電力の充電または放電を、第２蓄電装置に指示する制御装置を備え、制御装置は、第１の電力の充電または放電を第１の周期ごとに第１蓄電装置に指示すると共に、第２の電力の充電または放電を第１の周期よりも短い第２の周期ごとに第２蓄電装置に指示する。
【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
通知装置と、前記通知装置へ送信する収集デバイスと、前記通知装置から受信する出力デバイスとを有し、
前記収集デバイスは、
認知症の推定に用いる音声による質問に対する音声での回答を記録した、前記質問が発せられてから前記回答が観測されるまでの反応時間を含む会話ログと、生活習慣のデータと、を前記通知装置へ送る通信部を有し、
前記通知装置は、
前記反応時間を含む前記会話ログ及び前記生活習慣のデータを用いて、会話特徴量を含む特徴量を算出し解析を行う解析部と、
対象者を判別するユーザＩＤごとに前記解析部によるスクリーニングテストのスコアを記録するユーザＩＤデータベースと、
前記スコアから求められる推定結果を前記出力デバイスに送信する通信部と、
を有し、
前記出力デバイスは、
前記推定結果を出力する出力部を有する、通知システム。
【請求項２】
認知症の推定に用いる音声による質問に対する音声での回答を記録した、前記質問が発せられてから前記回答が観測されるまでの反応時間を含む会話ログと、対象者の生活習慣のデータとを収集デバイスから受信する受信部と、
前記反応時間を含む前記会話ログ及び前記生活習慣のデータから、会話特徴量を含む特徴量を算出し解析を行う解析部と、
対象者を判別するユーザＩＤごとに前記解析によるスクリーニングテストのスコアを記録するユーザＩＤデータベースと、
前記スコアから求められる推定結果を出力デバイスに送信する通信部と、
を有する通知装置。
【請求項３】
認知症の推定に用いる音声による質問に対する音声での回答を記録した、前記質問が発せられてから前記回答が観測されるまでの反応時間を含む会話ログと、対象者の生活習慣のデータとを、前記反応時間を含む前記会話ログ及び前記生活習慣のデータを用いて、会話特徴量を含む特徴量を算出し解析を行う通知装置に送信する収集デバイス。
【請求項４】
音声により認知症の推定に用いる質問を発してそれに対する音声での回答を、前記質問が発せられてから前記回答が観測されるまでの反応時間を含む会話ログとして記録するとともに、対象者の生活習慣のデータを収集するステップ、
前記会話ログ及び前記生活習慣のデータを蓄積するステップ、
前記反応時間を含む前記会話ログ及び前記生活習慣のデータから、会話特徴量を含む特徴量を算出し解析を行い、スクリーニングテストのスコアを求めるステップ、
前記スコアから求められる推定結果を出力するステップ、
を実行する、通知方法。
【請求項５】
請求項１に記載の通知システム、請求項２に記載の通知装置、又は請求項３に記載の収集デバイスとしてコンピュータを機能させるためのプログラム。
【手続補正書】
【提出日】令和1年10月18日(2019.10.18)
【手続補正１】
【補正対象書類名】明細書
【補正対象項目名】全文
【補正方法】変更
【補正の内容】
【発明の詳細な説明】
【発明の名称】蝋燭付き香炉
【技術分野】
【０００１】この発明は、電気を使用した発光体で炎のゆらぎをリアルに再現する蝋燭と遺影の写真等を収納できるフレームを電気ヒーターの熱で抹香を燃焼する香炉とを一体化した火気を使用しない香炉に関するものである。
【背景技術】
【０００２】  亡くなった人及び愛玩動物の供養には蝋燭、香、写真は重要なものである。
蝋燭と香（抹香や線香）は仏事ではとても大切であり蝋燭を灯すことで故人の供養、敬いの気持ちを表し、香を焚き煙が立つ事は空間を浄化し先祖との懸け橋になると言われている。抹香は香木を細かく裁断したものであり線香は裁断したものを細い棒状にしたもので、どちらも同じ用途である。また炎のゆらぎを見ながら香を楽しむことで、リラックスできストレスの解消に役立つ事は一般に知られている。
また亡くなった人及び愛玩動物の思い出の写真も身近なところに飾って置きたいものである。【０００３】  炭火で香を焚き煙が立つ香炉は広く使われている。蝋燭の炎で液体の香を加熱し香が立つ香炉も市販されている。
近年、火災予防の目的で火気を使用しない電気式の蝋燭及び香炉の需要が増えている。
乳白色のケースの中にＬＥＤ等の発光体を入れて、蝋燭の炎に見立てたものや細い樹脂の棒の先端に赤色のＬＥＤ等の発光体を取付けて燃焼している線香に見立てたものや炭の代わりに電気ヒーターを使用し抹香をその上に落とし煙が立つものが、各々が単独の商品として市販されている。
【発明の開示】
【発明が解決しようとする課題】
【０００４】  これには、次のような欠点があった。
火気を使用する蝋燭の炎、炭火を使う香炉には、常に火災の心配があった。
また火気を使用しない電気式の場合には、次の問題点があった。
蝋燭の炎に見立てたものは炎に見えづらく、線香に見立てたものは煙が出ない。
電気ヒーターを使い抹香を燃焼する香炉は煙がよく立つものが少なく燃焼後の灰の廃棄も面倒であった。従来の電気式蝋燭及び香炉ではあまりにも味気なく使い勝手が悪いものでありまた遺影の写真等も別に設置する場所が必要であった。
本発明は、以上のような欠点をなくすためになされたものである。
【課題を解決するための手段】
【０００５】  柱形のケース（１）の上部に香を加熱する炭火の代わりとなる電気ヒーター（２）を設置し下部に窓（２０）を設けて偏光板（９）を取付ける。その中に蝋燭に見立てた筒（６）に発光体を内蔵した構造である。また窓（２０）の内側に遺影の写真等を透過性のある樹脂等（２２）で挟みこみ取り付ける事も可能であり写真の裏面に発光体を設置することで写真を引き立てる事ができる。香の灰は、ヒーター（２）の下部に設置した引出し（１０）に落とし手を汚さずに容易に廃棄できる構造である。電気ヒーター（２）の容量を可変できるボリューム（１２）が付いているため、ヒーターの表面温度を５０〜４００℃程度まで任意に変更できるので比較的低温で香が立つアロマ用の香及び煙が出るまでに４００℃程度の温度が必要な焼香用抹香の煙も勢いよく出す事が可能である。【０００６】  蝋燭の炎に見立てるために、輝度が異なる点滅する発光体２個を縦に並べ筒状のケース（１６）の中に入れ発光体の上部にレンズ（１７）を挿入する。レンズを介した発光体の光を板（７）に投影すると、ゆらぎのある蝋燭の炎のように映る。投影した炎は、窓に取付けた偏光板（９）を介して見ると立体的になりあたかも実際の蝋燭の炎のように見える。また窓（２０）の内側に遺影の写真等を挿入する事も可能である。【０００７】  電源はＡＣ１００Ｖの商用電源または、加熱する香の種類よっては電池を使用する事も可能である。また火災防止機能として、過電流防止用のヒューズ、電源切り忘れ防止のタイマー機能、ケースの転倒時に電源が切れる機能及びヒーター付近の過昇温度時に電源が切れる安全機能を有している。
本発明は、以上の構成よりなる蝋燭付香炉である。
【発明の効果】
【０００８】  火気を使用せず、数々の安全装置付きのために火災の心配が大幅に軽減されるため老人ホーム、災害時等で火気が使用できない場所でも有効に活用できる。
蝋燭と香炉が一体構造のため場所を取らずに設置でき、また持ち運びも簡単である。香を加熱するヒーター容量を任意に変更できるためアロマ用及び仏事用両方に使用が可能である。また蝋燭の代わりに入替が任意にできる遺影の写真等も取付が可能である。
蝋燭付香炉本体の外側に任意の形態のハウジング（１９）を被せる事で差別化ができ数々の場所での使用ができる。
【発明を実施するための最良の形態】
【０００９】  以下、本発明を実施するための最良の形態について説明する。
柱状ケース（１）の上部に香を加熱するためのヒーター（２）を設置する。下部に窓（２０）を付ける。窓（２０）に偏光板（９）を取付ける。窓の内側に蝋燭に見立てた筒（６）にＬＥＤを内蔵し発光した光を板（７）に投影する。電源回路及び制御回路（１４）は板（７）とケース（１）の内側の空間に収める。窓（２０）と板（７）の間に写真を挿入したフレーム（２２）を取付ける事ができる。
【図面の簡単な説明】
【００１０】
【図１】  本発明の正面斜視図
【図２】  本発明の裏面斜視図
【図３】  本発明の上面図
【図４】  本発明の外側にハウジングを被せた正面斜視図
【図５】  本発明のケース下部の断面図
【図６】  本発明の正面窓の内側に遺影の写真及び絵等を挿入した正面斜視図
【図７】  本発明の回路図
【符号の説明】
【００１１】  １  ケース
２  ヒーター
３  断熱材
４  ヒーター固定用板
５  電源表示灯
６  内部に発光体を内蔵した蝋燭に見立てた筒
７  発光体の光を投影する板
８  板に投影した蝋燭の炎
９  偏光板
１０  引出し
１Ｉ  タイマースイッチ
１２  ヒーターの容量を可変できるボリューム
１３  電源リード線引込口
１４  電源回路及び制御回路
１５  ＬＥＤ
１６  ＬＥＤ内蔵用筒
１７  レンズ
１８  ＬＥＤ電源用リード線
１９  ハウジング
２０  窓
２１  温度スイッチ（ヒューズ）
２２  遺影の写真及び絵等を挿入したスライドできるフレーム
【手続補正２】
【補正対象書類名】特許請求の範囲
【補正対象項目名】全文
【補正方法】変更
【補正の内容】
【特許請求の範囲】
【請求項１】
蝋燭に見立てた発光体と炭火に見立てたヒーターを一体化した火気を使用しない蝋燭付香炉
【請求項２】
筒状のケースの中に入れた発光体の光源に、レンズを介して板に投影すると蝋燭の炎のように映り偏光板を介する事で、炎が立体的に見える機能を備えた電気式蝋燭
【請求項３】
樹脂等に挟んだ写真等を取付ける事ができる構造の香炉
【手続補正３】
【補正対象書類名】図面
【補正対象項目名】全図
【補正方法】変更
【補正の内容】
【図１】
2019198608.tif 000001
【図２】
2019198608.tif 000002
【図３】
2019198608.tif 000003
【図４】
2019198608.tif 000004
【図５】
2019198608.tif 000005
【図６】
2019198608.tif 000006
【図７】
2019198608.tif 000007
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
尿により変色するインジケータを含むインジケータ図柄を含み、
前記インジケータ図柄は、高秤量部と、低秤量部と、を含み、
前記高秤量部は、第１方向における前記インジケータ図柄の縁に設けられている、吸収性物品。
【請求項２】
前記高秤量部は、前記第１方向における前記インジケータ図柄の前記縁のみに設けられている、請求項１に記載の吸収性物品。
【請求項３】
前記吸収性物品は、前胴回り域と、股下域と、後胴回り域と、を有し、
前記第１方向は、前記前胴回り域と前記後胴回り域とを結ぶ前後方向であり、
前記高秤量部は、前記インジケータ図柄の後側の縁に設けられている、請求項１又は２に記載の吸収性物品。
【請求項４】
前記前胴回り域に設けられた前記インジケータ図柄の前記高秤量部は、前記股下域側の縁と、前記股下域とは反対側の縁とのいずれか一方に設けられており、
前記後胴回り域に設けられた前記インジケータ図柄の前記高秤量部は、前記股下域側の縁と、前記股下域とは反対側の縁との他方に設けられている、請求項３に記載の吸収性物品。
【請求項５】
前記前胴回り域に設けられた前記インジケータ図柄では、前記高秤量部は、前記股下域側の縁に設けられており、
前記後胴回り域に設けられた前記インジケータ図柄では、前記高秤量部は、前記股下域とは反対側の縁に設けられている、請求項３又は４に記載の吸収性物品。
【請求項６】
前記インジケータ図柄は、複数設けられており、
前記インジケータ図柄の前記高秤量部は、ぞれぞれの前記インジケータ図柄の同じ側の縁に設けられている、請求項１から５のいずれか１項に記載の吸収性物品。
【請求項７】
前記インジケータ図柄は、前記インジケータを含む領域に囲まれた領域であって前記インジケータを含まない領域を含んでおり、
前記高秤量部は、前記第１方向における前記インジケータを含まない領域の縁に設けられている、請求項１から６のいずれか１項に記載の吸収性物品。
【請求項８】
前記高秤量部の前記第１方向における長さは一定である、請求項１から７のいずれか１項に記載の吸収性物品。
【請求項９】
前記インジケータ図柄は、複数並んでおり、
互いに隣接する前記インジケータ図柄の種別又は向きが互いに異なっている、請求項１から８のいずれか１項に記載の吸収性物品。
【請求項１０】
前記インジケータ図柄は、前記吸収性物品を構成するシートを接着する接着剤の機能を有する、請求項１から９のいずれか１項に記載の吸収性物品。
【請求項１１】
裏面シートと、
前記裏面シートよりも肌面側に位置し、液体を吸収する吸収コアと、
前記吸収コアを包むコアラップと、を含み、
前記インジケータ図柄は、前記裏面シートと前記コアラップとを接合している、請求項１０に記載の吸収性物品。
【請求項１２】
前記コアラップは、少なくとも２重に重なった重複部分で接合されており、
前記インジケータ図柄は、前記コアラップの、前記重複部分とは異なる部分に接合されている、請求項１１に記載の吸収性物品。
【請求項１３】
液体を吸収する吸収コアと、
前記吸収コアよりも非肌面側の裏面シートと、
前記裏面シートよりも非肌面側の外装シートと、を含み、
前記インジケータ図柄は、前記裏面シートに形成されており、
前記外装シートは、少なくとも前記インジケータ図柄と厚み方向に重なる領域において孔を有する、請求項１から１２のいずれか１項に記載の吸収性物品。
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
前胴回り域と、
後胴回り域と、
前記前胴回り域と前記後胴回り域との間の股下域と、
少なくとも前記股下域に設けられ、尿により変色するインジケータを含むインジケータ図柄と、
非肌面側から視認可能であり、前記インジケータ図柄とは異なる裏面図柄と、を含み、
少なくとも前記股下域に設けられた前記インジケータ図柄は、前記インジケータにより形成された図柄と、前記図柄を囲み非肌面側から視認可能な分離要素と、を含む、吸収性物品。
【請求項２】
前記分離要素は、尿により変色するインジケータによって形成される、請求項１に記載の吸収性物品。
【請求項３】
前記インジケータ図柄と前記裏面図柄との間の最短距離は、前記インジケータ図柄の最大長よりも短い、請求項１又は２に記載の吸収性物品。
【請求項４】
前記インジケータ図柄は、前記股下域から、前記前胴回り域と前記後胴回り域の少なくとも一方に達している、請求項１から３のいずれか１項に記載の吸収性物品。
【請求項５】
前記吸収性物品の幅方向における前記インジケータ図柄の長さは、１０ｍｍ以上、かつ２０ｍｍ以下である、請求項１から４のいずれか１項に記載の吸収性物品。
【請求項６】
前記インジケータ図柄は、第１方向に間隔をあけて複数並んでおり、
前記第１方向における前記インジケータ図柄どうしの間の距離は、前記第１方向における前記インジケータ図柄の長さよりも短い、請求項１から５のいずれか１項に記載の吸収性物品。
【請求項７】
前記インジケータ図柄は、第１方向に、１０ｍｍ以上かつ３０ｍｍ未満のピッチで複数並んでいる、請求項１から６のいずれか１項に記載の吸収性物品。
【請求項８】
前記インジケータ図柄は、第１方向に間隔をあけて複数並んでおり、
前記第１方向における前記インジケータ図柄の長さは、１５ｍｍ以上である請求項１から６のいずれか１項に記載の吸収性物品。
【請求項９】
前記裏面図柄は、複数設けられており、
前記裏面図柄どうしの間の距離は、前記裏面図柄の最大長よりも長い、請求項１から８のいずれか１項に記載の吸収性物品。
【請求項１０】
前記インジケータ図柄は、第１方向に複数並んでおり、
互いに隣接する前記インジケータ図柄の種別又は向きが互いに異なっている、請求項１から５のいずれか１項に記載の吸収性物品。
【請求項１１】
前記インジケータ図柄は、前記股下域から、前記前胴回り域と前記後胴回り域の両方に達しており、
前記インジケータ図柄は、前後方向に複数並んでおり、
前記前胴回り域における前記インジケータ図柄の向きは、前記後胴回り域における前記インジケータ図柄の向きと逆転している、請求項１から１０のいずれか１項に記載の吸収性物品。
【請求項１２】
前記分離要素は、２重に形成されている、請求項１から１１のいずれか１項に記載の吸収性物品。
【請求項１３】
前記インジケータ図柄と前記裏面図柄は、関連性を有する図柄によって形成されている、請求項１から１２のいずれか１項に記載の吸収性物品。
【請求項１４】
尿によって変色した前記インジケータ図柄の色は、前記裏面図柄の色とは反対色に属する色によって形成されている、請求項１から１３のいずれか１項に記載の吸収性物品。
【請求項１５】
前記分離要素は、前記インジケータにより形成された図柄の外形を縁取る形状を有する、請求項１から１４のいずれか１項に記載の吸収性物品。
【手続補正書】
【提出日】令和1年11月15日(2019.11.15)
【手続補正１】
【補正対象書類名】特許請求の範囲
【補正対象項目名】全文
【補正方法】変更
【補正の内容】
【特許請求の範囲】
【請求項１】
プラスチック製の敷板を洗浄するための洗浄機であって、
洗浄対象である敷板の移動を可能にする第１の移動手段と、
前記敷板の移動を可能にする第２の移動手段と、
第１の移動手段から第２の移動手段に向かう経路の途中に設けられた洗浄液噴射手段と、を具備する敷板用洗浄機（ただし、敷板を洗浄する手段として洗浄ブラシを具備するものを除く）。
【請求項２】
請求項１に記載の洗浄機を用いたプラスチック製敷板の洗浄方法であって、
洗浄対象である敷板を第１の移動手段に載せる工程と、
敷板を第１の移動手段から第２の移動手段に向かって移動させる工程と、
敷板の移動途中、移動前、移動後の少なくとも何れかのタイミングで、洗浄液噴射手段により敷板の片面または両面を洗浄する工程と、
を含むことを特徴とする敷板の洗浄方法。
【手続補正書】
【提出日】令和2年10月6日(2020.10.6)
【手続補正１】
【補正対象書類名】特許請求の範囲
【補正対象項目名】全文
【補正方法】変更
【補正の内容】
【特許請求の範囲】
【請求項１】
住宅に設置された、アクセス情報を表すコードと、
通信可能なサーバと、を備え、
前記アクセス情報は、前記サーバへのアクセス情報を含み、
前記サーバは、
前記コードを読み取った、前記住宅の訪問者の携帯する端末機器からのアクセスによって前記端末機器から取得される情報を用いて前記住宅を識別し、
識別された前記住宅についての、前記サーバに記憶されている情報に基づいて、前記端末機器に前記訪問者の来訪時の操作を受け付ける受付用画面を表示させ、
前記端末機器から前記受付用画面に対する操作を示す操作情報を受け付けることによって、前記訪問者の来訪を、予め規定された対応者に対して報知する
受付システム。
【請求項２】
前記コードは、前記住宅に設置されたプレートの表面に表されている
請求項１に記載の受付システム。
【請求項３】
前記アクセスによって前記端末機器から取得される情報は、前記端末機器の、前記コードを読み取った際の位置情報を含み、
前記サーバに記憶されている情報は、前記住宅についての前記受付用画面の表示を許容する許容範囲を含み、
前記端末機器から取得される情報を用いて前記住宅を識別することは、前記位置情報に示される位置が前記許容範囲に含まれるか否かを判定することを含む
請求項１又は２に記載の受付システム。
【請求項４】
前記アクセス情報は、前記住宅に固有の前記サーバへのアクセス情報を含み、
前記アクセスによって前記端末機器から取得される情報は、前記固有の前記サーバへのアクセス情報を含み、
前記サーバに記憶されている情報は、前記住宅についての前記固有の前記サーバへのアクセス情報を含み、
前記端末機器から取得される情報を用いて前記住宅を識別することは、前記固有の前記サーバへのアクセス情報から前記住宅を識別することを含む
請求項１又は２に記載の受付システム。
【請求項５】
前記固有の前記サーバへのアクセス情報は所定のタイミングで更新される
請求項４に記載の受付システム。
【請求項６】
前記受付用画面は時間帯に応じて設定可能であって、
前記端末機器に前記受付用画面を表示させることは、前記アクセスがなされたタイミングに応じた前記受付用画面を表示させることを含む
請求項１〜５のいずれか一項に記載の受付システム。
【請求項７】
住宅に訪問した訪問者を受け付ける方法であって、
前記住宅に、サーバへのアクセス情報を含むアクセス情報を表すコードが設置されており、
前記コードを、前記訪問者の携帯する、前記コードを読み取り可能な読取部を有する端末機器によって読み取り、
前記端末機器が前記アクセス情報を用いて前記サーバにアクセスし、
前記アクセスによって前記端末機器から取得される情報を用いて識別された前記住宅についての、前記サーバに記憶されている情報に基づいて、前記端末機器が前記訪問者の来訪時の操作を受け付ける受付用画面を表示し、
前記端末機器が前記受付用画面に対して操作を受け付けることによって、前記訪問者の来訪が、予め規定された対応者に対して報知される
受付方法。
【請求項８】
前記読取部はカメラを含み、
前記コードを読み取ることは、前記コードを撮影することを含む
請求項７に記載の受付方法。
【請求項９】
住宅に設置された、アクセス情報を表すコードを読み取った端末から送信された情報を処理するためのサーバであって、
前記アクセス情報は、前記サーバへのアクセス情報を含み、
前記コードを読み取った、前記住宅の訪問者の携帯する端末機器からのアクセスによって前記端末機器から取得される情報を用いて前記住宅を識別し、
識別された前記住宅についての、前記サーバに記憶されている情報に基づいて、前記端末機器に前記訪問者の来訪時の操作を受け付ける受付用画面を表示させ、
前記端末機器から前記受付用画面に対する操作を示す操作情報を受け付けることによって、前記訪問者の来訪を、予め規定された対応者に対して報知する
サーバ。
【請求項１０】
サーバへのアクセス情報を表すコードであって、
住宅に設置可能なプレートの表面に表され、
訪問者の携帯する端末機器によって読み取られることにより、前記端末機器は前記サーバにアクセス可能になり、
前記サーバへのアクセスによって前記端末機器から取得される情報を用いて識別された前記住宅についての、前記サーバに記憶されている情報に基づいて、前記端末機器に、前記訪問者の来訪時の操作を受け付ける受付用画面が表示され、
前記端末機器が前記受付用画面に対して操作を受け付けることによって、前記訪問者の来訪が、予め規定された対応者に対して報知される
コード。
【請求項１１】
サーバへのアクセス情報を表すコードであって、
住宅に設置可能なプレートの表面に表され、
訪問者の携帯する端末機器によって読み取られることにより、前記端末機器は前記サーバにアクセス可能になり、
前記サーバへのアクセスによって前記端末機器から、予め登録された複数の訪問先の候補の中から前記訪問者の訪問先を識別するために用いられる情報が取得され、
取得された前記情報を用いて、前記予め登録された複数の訪問先の候補の中から前記訪問先が識別され、
前記識別された前記訪問先用の受付用画面であって、前記識別された前記訪問先の対応者を呼び出すための操作を前記訪問者から受け付ける受付用画面が前記端末機器に表示され、
前記受付用画面に対する前記訪問者の操作を受け付けると、前記対応者に、前記訪問者の来訪が報知される
コード
【請求項１２】
請求項１０又は１１に記載のコードが表面に表され、
住宅に設置可能な
プレート。
【請求項１３】
請求項１２に記載のプレートが取り付けられた
住宅。
【手続補正２】
【補正対象書類名】明細書
【補正対象項目名】発明の名称
【補正方法】変更
【補正の内容】
【発明の名称】受付システム、受付方法、サーバ、コード、プレート、及び、住宅
【手続補正３】
【補正対象書類名】明細書
【補正対象項目名】０００１
【補正方法】変更
【補正の内容】
【０００１】
本開示は、受付システム、受付方法、サーバ、コード、プレート、及び、住宅に関する。
【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
可変表示に対応する特定表示を、前記有利状態に制御される期待度が異なる複数の表示態様により表示可能な特定表示手段と、
前記特定表示の表示態様が変化することを示唆する示唆演出を実行可能な示唆演出実行手段と、を備え、
前記示唆演出の演出期間に応じて、前記特定表示の表示態様が複数の表示態様のいずれに変化するかの割合が異なり、
前記示唆演出は、前記特定表示に作用する作用演出を含み、
前記作用演出が実行された場合に、前記特定表示が特定動作を示した後に表示態様が変化するときと、前記特定表示が前記特定動作を示すことなく表示態様が変化しないときとがある
ことを特徴とする遊技機。
【手続補正２】
【補正対象書類名】明細書
【補正対象項目名】０００６
【補正方法】変更
【補正の内容】
【０００６】
（１）上記目的を達成するため、本願発明に係る遊技機は、可変表示を行い、遊技者にとって有利な有利状態（例えば大当り遊技状態など）に制御可能な遊技機（例えばパチンコ遊技機１など）であって、可変表示に対応する特定表示（例えばアクティブ表示や保留表示など）を、前記有利状態に制御される期待度が異なる複数の表示態様により表示可能な特定表示手段（例えばアクティブ表示エリア１５ＡＫＡ１、第１保留表示エリア１５ＡＫＢ１、第２保留表示エリア１５ＡＫＢ２など）と、前記特定表示の表示態様が変化することを示唆する示唆演出を実行可能な示唆演出実行手段（例えば可変表示中演出処理のステップ１５ＡＫＳ０４２〜１５ＡＫＳ０４５を実行する演出制御用ＣＰＵ１２０など）と、を備え、前記示唆演出の演出期間に応じて、前記特定表示の表示態様が複数の表示態様のいずれに変化するかの割合が異なり（例えば図９−１２〜図９−１４を参照）、前記示唆演出は、前記特定表示に作用する作用演出を含み、前記作用演出が実行された場合に、前記特定表示が特定動作を示した後に表示態様が変化するときと、前記特定表示が前記特定動作を示すことなく表示態様が変化しないときとがある。
このような構成によれば、表示態様の変化に対する遊技者の興味を適切に高めて、遊技興趣を向上させることができる。
【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
Ｒｅｂ．Ｂの含有量が６〜４５ｐｐｍであり、Ｒｅｂ．Ｍの含有量が６００ｐｐｍ以下であり、ガス圧が２．３ｋｇｆ／ｃｍ２〜３．２ｋｇｆ／ｃｍ２であり、ｐＨが２．０〜３．５である、発泡性飲料。
【請求項２】
Ｒｅｂ．Ｂの含有量が８〜４５ｐｐｍである、請求項１に記載の発泡性飲料。
【請求項３】
Ｒｅｂ．Ｂの含有量が８〜４０ｐｐｍである、請求項１または２に記載の発泡性飲料。
【請求項４】
Ｒｅｂ．Ｂの含有量が１０〜４０ｐｐｍである、請求項１〜３のいずれか一項に記載の発泡性飲料。
【請求項５】
Ｒｅｂ．Ｂの含有量が１２〜２０ｐｐｍである、請求項１〜４のいずれか一項に記載の発泡性飲料。
【請求項６】
Ｒｅｂ．Ｂの含有量が６ｐｐｍ以上甘味閾値未満である、請求項１に記載の発泡性飲料。
【請求項７】
Ｒｅｂ．Ｍの含有量が５００ｐｐｍ以下である、請求項１〜６のいずれか一項に記載の発泡性飲料。
【請求項８】
Ｒｅｂ．Ａ、Ｒｅｂ．Ｃ、Ｒｅｂ．Ｄ、Ｒｅｂ．Ｅ、Ｒｅｂ．Ｆ、Ｒｅｂ．Ｇ、Ｒｅｂ．Ｉ、Ｒｅｂ．Ｊ、Ｒｅｂ．Ｋ、Ｒｅｂ．Ｎ、Ｒｅｂ．Ｏ、Ｒｅｂ．Ｑ、Ｒｅｂ．Ｒ、ズルコサイドＡ、ルブソシド、ステビオールモノシド、ステビオールビオシドおよびステビオシドからなる群から選択される一種以上のステビオール配糖体をさらに含む、請求項１〜７のいずれか一項に記載の発泡性飲料。
【請求項９】
Ｒｅｂ．Ａ、Ｒｅｂ．Ｃ、Ｒｅｂ．Ｅ、Ｒｅｂ．Ｆ、Ｒｅｂ．Ｇ、Ｒｅｂ．Ｉ、Ｒｅｂ．Ｊ、Ｒｅｂ．Ｋ、Ｒｅｂ．Ｎ、Ｒｅｂ．Ｏ、Ｒｅｂ．Ｑ、Ｒｅｂ．Ｒ、ズルコサイドＡ、ルブソシド、ステビオールモノシド、ステビオールビオシドおよびステビオシドからなる群から選択される一種以上のステビオール配糖体を、Ｒｅｂ．Ｂの含有量の５倍以下の量で含む、請求項１〜８のいずれか一項に記載の発泡性飲料。
【請求項１０】
Ｒｅｂ．Ａの含有量が０〜１００ｐｐｍである、請求項７に記載の発泡性飲料。
【請求項１１】
スクロース、果糖ぶどう糖液糖、エリスリトール、モグロシドＶ、コーンシロップ、アスパルテーム、スクラロース、アセスルファムカリウム、サッカリンおよびキシリトールからなる群から選択される一種以上の甘味料をさらに含む、請求項１〜１０のいずれか一項に記載の発泡性飲料。
【請求項１２】
ガス圧が３．０ｋｇｆ／ｃｍ２〜３．２ｋｇｆ／ｃｍ２である、請求項１〜１１のいずれか一項に記載の発泡性飲料。
【請求項１３】
ｐＨが２．０〜３．３である、請求項１〜１１のいずれか一項に記載の発泡性飲料。
【請求項１４】
Ｒｅｂ．ＢとＲｅｂ．Ｍとの比が、重量比で１：２〜１：３００である、請求項１〜１３のいずれか一項に記載の発泡性飲料。
【請求項１５】
Ｂｒｉｘが５〜１３である、請求項１〜１４のいずれか一項に記載の発泡性飲料。
【請求項１６】
アルコール含有量が０．０５ｖ／ｖ％未満である、請求項１〜１５のいずれか一項に記載の発泡性飲料。
【請求項１７】
オレンジ風味、レモン風味、ライム風味、グレープ風味、ジンジャーエール風味、カシス風味またはコーラ風味の飲料である、請求項１〜１６のいずれか一項に記載の発泡性飲料。
【請求項１８】
カラメル、桂皮アルデヒド、リン酸、バニラおよびカフェインからなる群から選択される一種以上を含む、請求項１〜１７のいずれか一項に記載の発泡性飲料。
【請求項１９】
泡が安定化されている、請求項１〜１８のいずれか一項に記載の発泡性飲料。
【請求項２０】
発泡性飲料における泡保持性を改善する方法であって、６〜４５ｐｐｍのＲｅｂ．Ｂと６００ｐｐｍ以下のＲｅｂ．Ｍを含有する発泡性飲料を調製する工程を含む、方法。
【請求項２１】
Ｒｅｂ．Ｍを含む発泡性飲料の泡保持性を改善するためのＲｅｂ．Ｂの使用。
【請求項２２】
泡が２６秒以上安定化されている、請求項２１に記載の使用。
【請求項２３】
泡が３０秒以上安定化されている、請求項２１に記載の使用。
【請求項２４】
Ｒｅｂ．Ｍを含む発泡性飲料の泡保持性を改善するための、Ｒｅｂ．Ｂを含む剤。
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
水を１６重量％以上５５重量％以下含み、円相当径が２０μｍ以上である気泡にしめる円相当径３０〜５０μｍの気泡の個数の割合が５０％以上である、冷凍温度域で喫食されることを特徴とする水中油型の含水含泡チョコレート。
【請求項２】
−１８℃における歪率が４０％となる荷重が１．５Ｎ以上２０．０Ｎ以下であることを特徴とする、請求項１に記載の含水含泡チョコレート。
【請求項３】
室温における比重が０．２以上１．０以下であることを特徴とする、請求項１または２に記載の含水含泡チョコレート。
【請求項４】
メレンゲを含むことを特徴とする、請求項１〜３のいずれか１項に記載の含水含泡チョコレート。
【請求項５】
ホイップすることを特徴とする、請求項１〜４のいずれか１項に記載の含水含泡チョコレートの製造方法。
【手続補正書】
【提出日】令和2年9月25日(2020.9.25)
【手続補正１】
【補正対象書類名】明細書
【補正対象項目名】０００６
【補正方法】変更
【補正の内容】
【０００６】
本発明は、上記の課題を解決するために以下の構成を採用した。
本発明に係る遊技機は、遊技を制御する遊技制御部と、演出を制御する演出制御部とを具備する遊技機であって、前記遊技制御部は、遊技者に有利な特別遊技を実行するか否かを判定する判定手段と、操作手段を用いる所定の操作に応じて、前記判定手段によって前記特別遊技を実行すると判定される判定確率が複数の確率のいずれかの確率となることを示す設定値を設定する設定手段と、前記設定手段によって設定された前記設定値を、少なくとも前記設定手段による前記設定が完了したときに送信する設定値送信手段と、前記判定手段の判定結果を送信可能な判定結果送信手段と、を備え、前記演出制御部は、前記設定値送信手段によって送信された前記設定値と、前記判定結果送信手段によって送信された前記判定手段の判定結果と、を受信可能であり、前記設定値に基づくことなく、前記判定手段の判定結果に応じた演出を制御可能であり、前記設定手段によって設定される設定値によって、少なくとも一の演出の出現率を異ならせる。
【手続補正２】
【補正対象書類名】特許請求の範囲
【補正対象項目名】全文
【補正方法】変更
【補正の内容】
【特許請求の範囲】
【請求項１】
遊技を制御する遊技制御部と、演出を制御する演出制御部とを具備する遊技機であって、
前記遊技制御部は、
遊技者に有利な特別遊技を実行するか否かを判定する判定手段と、
操作手段を用いる所定の操作に応じて、前記判定手段によって前記特別遊技を実行すると判定される判定確率が複数の確率のいずれかの確率となることを示す設定値を設定する設定手段と、
前記設定手段によって設定された前記設定値を、少なくとも前記設定手段による前記設定が完了したときに送信する設定値送信手段と、
前記判定手段の判定結果を送信可能な判定結果送信手段と、を備え、
前記演出制御部は、
前記設定値送信手段によって送信された前記設定値と、前記判定結果送信手段によって送信された前記判定手段の判定結果と、を受信可能であり、
前記設定値に基づくことなく、前記判定手段の判定結果に応じた演出を制御可能であり、
前記設定手段によって設定される設定値によって、少なくとも一の演出の出現率を異ならせることを特徴とする遊技機。
【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
遊技球の入球または通過が可能とされる始動口と、
前記始動口への遊技球の入球または通過に基づいて当落判定を行う抽選手段と、
前記当落判定の結果が当たりであることを条件に、遊技者に有利な特別遊技の実行が可能とされる特別遊技実行手段と、
前記当落判定の結果に基づいて変動パターンを決定する変動パターン決定手段と、
前記変動パターン決定手段によって決定された変動パターンに基づいて主基板から送信された演出コマンドを受信すると該演出コマンドに基づいて実行される表示演出を決定する表示演出決定手段と、
前記表示演出決定手段によって決定された前記表示演出を実行可能な表示演出実行手段と、
前記表示演出決定手段の決定とは異なるタイミングで前記主基板から送信されたコマンドであって前記変動パターンを決定するために使用する前記演出コマンドとは異なるコマンドに基づいて刺激音演出を前記表示演出に追加して実行するか否かを決定する追加演出決定手段と、
を備え、
前記表示演出に前記刺激音演出を追加して実行する旨が決定されたことにもとづいて、前記刺激音演出が実行されるようになっており、
前記刺激音演出が実行されるときには、該刺激音演出が実行されることを察知できるよう察知演出を実行可能とし、
前記刺激音演出の音声が可聴出力されていない状況であっても前記刺激音演出の態様が視覚を通じて認識可能である
ことを特徴とする遊技機。
【手続補正２】
【補正対象書類名】明細書
【補正対象項目名】０００７
【補正方法】変更
【補正の内容】
【０００７】
請求項１に記載の遊技機は、
遊技球の入球または通過が可能とされる始動口と、
前記始動口への遊技球の入球または通過に基づいて当落判定を行う抽選手段と、
前記当落判定の結果が当たりであることを条件に、遊技者に有利な特別遊技の実行が可能とされる特別遊技実行手段と、
前記当落判定の結果に基づいて変動パターンを決定する変動パターン決定手段と、
前記変動パターン決定手段によって決定された変動パターンに基づいて主基板から送信された演出コマンドを受信すると該演出コマンドに基づいて実行される表示演出を決定する表示演出決定手段と、
前記表示演出決定手段によって決定された前記表示演出を実行可能な表示演出実行手段と、
前記表示演出決定手段の決定とは異なるタイミングで前記主基板から送信されたコマンドであって前記変動パターンを決定するために使用する前記演出コマンドとは異なるコマンドに基づいて刺激音演出を前記表示演出に追加して実行するか否かを決定する追加演出決定手段と、
を備え、
前記表示演出に前記刺激音演出を追加して実行する旨が決定されたことにもとづいて、前記刺激音演出が実行されるようになっており、
前記刺激音演出が実行されるときには、該刺激音演出が実行されることを察知できるよう察知演出を実行可能とし、
前記刺激音演出の音声が可聴出力されていない状況であっても前記刺激音演出の態様が視覚を通じて認識可能である
ことを特徴とするものである。
【手続補正書】
【提出日】令和2年4月30日(2020.4.30)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域を備えた遊技機であって、
当該遊技機の前面側を構成する前面構成部と、
前記前面構成部のうち前記遊技領域よりも上方で遊技者側に向けて膨出した装飾箇所である上膨出装飾部と、
前記前面構成部のうち前記遊技領域よりも下方に設けられ、遊技者が操作可能な特定操作部と、
遊技者によって前記特定操作部が操作されることで、遊技ホールの係員を呼び出すことが可能な呼出動作を実行する呼出動作実行手段と、
前記特定操作部の操作により遊技ホールの係員を呼び出すことが可能であることを遊技者に知らせる呼出通知表示を行う呼出通知表示実行手段と、
を備え、
前記呼出通知表示を行うことによって、外部機器ではなく当該遊技機に設けられる前記特定操作部の操作により遊技ホールの係員を呼び出すことが可能であることを遊技者に認識させる
ことを特徴とする遊技機。
【手続補正２】
【補正対象書類名】明細書
【補正対象項目名】０００５
【補正方法】変更
【補正の内容】
【０００５】
しかしながら、特許文献１に記載のような従来同様の遊技機構成では利便性の更なる向上を図ることが困難であった。
【手続補正３】
【補正対象書類名】明細書
【補正対象項目名】０００６
【補正方法】変更
【補正の内容】
【０００６】
本発明は、このような事情に鑑みてなされたものであり、その目的とするところは、新たな態様の遊技機を提供することにある。
【手続補正４】
【補正対象書類名】明細書
【補正対象項目名】０００８
【補正方法】変更
【補正の内容】
【０００８】
本発明は、
遊技球が流下可能な遊技領域を備えた遊技機であって、
当該遊技機の前面側を構成する前面構成部と、
前記前面構成部のうち前記遊技領域よりも上方で遊技者側に向けて膨出した装飾箇所である上膨出装飾部と、
前記前面構成部のうち前記遊技領域よりも下方に設けられ、遊技者が操作可能な特定操作部と、
遊技者によって前記特定操作部が操作されることで、遊技ホールの係員を呼び出すことが可能な呼出動作を実行する呼出動作実行手段と、
前記特定操作部の操作により遊技ホールの係員を呼び出すことが可能であることを遊技者に知らせる呼出通知表示を行う呼出通知表示実行手段と、
を備え、
前記呼出通知表示を行うことによって、外部機器ではなく当該遊技機に設けられる前記特定操作部の操作により遊技ホールの係員を呼び出すことが可能であることを遊技者に認識させる
ことを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】変更
【補正の内容】
【００１８】
本発明によれば、利便性の高い遊技機を提供することができる。